(57)【特許請求の範囲】
【請求項１】
便蓋の起立又は倒伏の検知手段と、該検知手段の検知結果に基づいてヒータへの通電を制御する制御手段とを有する便器設備において、該便蓋の倒伏の確認手段を便蓋後端部の近傍に設け、前記検知手段が便蓋の倒伏を検知していると共に該確認手段が便蓋の倒伏を確認しているときにヒータへの通電を節電モードとするよう制御手段によって制御することを特徴とする便器設備。
【請求項２】
請求項１において、該確認手段が光学センサ又は当接スイッチよるなることを特徴とする便器設備。
【請求項３】
請求項１又は２において、便座への着座を検知する着座検知センサが設けられており、該着座検知センサが着座を検知しているときには前記制御装置は便蓋開状態としての制御モードを実行することを特徴とする便器設備。
【発明の詳細な説明】
【０００１】
【発明の属する技術分野】
本発明は暖房便座又は温水洗浄装置等の便器設備に係り、特に、便蓋の開閉に対応してヒータへの通電を減少（停止も含む）させる節電モードを実行しうる便器設備に関する。
【０００２】
【従来の技術】
暖房便座は、周知のとおり、便座に組み込まれたヒータに通電して便座を暖めるようにしたものである。温水洗浄装置は、ノズルの先端から温水を噴射して人体の臀部を温水で洗うようにした設備であり、ノズルに供給するための温水を貯える温水タンクを備えることが多い。
【０００３】
このような暖房便座や温水洗浄装置にあっては、便座のヒータや温水タンクのヒータへの通電量を節減して省エネルギーを図ることが重要である。
【０００４】
特開平１１−２４７２６７号公報には、便蓋が閉まっているときには便座ヒータへの通電を停止し、便蓋が開く（即ち起立回動）すると便座ヒータへの通電を開始する暖房便座が記載されている。
【０００５】
第４図は同号公報に係る洋風便器設備の斜視図、第５図はその便蓋自動開閉装置の斜視図である。
【０００６】
洋風便器７０の後部上面に設置された便座ボックス８０に便座８１と便蓋８２が上下方向回動可能に取り付けられており、この便座８１にはヒータ（図示略）が組み込まれている。便座ボックス８０には臀部洗浄用のノズル６１，６２が設けられている。便蓋８２を自動開閉させるために、便蓋８２の支持部に自動開閉装置２００が配設されている。この自動開閉装置２００は人の有無を検知して便蓋８２を開状態にしたり、閉状態に作動させる装置である。
【０００７】
第５図に示すように、この自動開閉装置のシャフト２０１には、抵抗体２０４が配設されている。またこの抵抗体２０４と対向する位置に位置検知センサ２０２が配設されている。シャフト２０１の回転により、抵抗体２０４と位置検知センサ２０２が離間したり相対向したりする。この位置検知センサ２０２と抵抗体２０４は具体的には、ギヤに固定されたブラシが位置検知センサに相当するポテンション基板の抵抗体２０４上をスライドすることにより、０Ｖから５Ｖまで出力信号電圧がリニアに変化する。この信号で便蓋の自動開閉動作を制御する。即ち、人体の有無を検知して自動的に便蓋が開動作する。このとき、シャフト２０１が回動すると、位置検知センサ２０２と抵抗体２０４が離間するため、出力信号電圧が０Ｖから５Ｖに変化する。
【０００８】
便蓋８２を閉じている状態では、便座用発熱ヒータ、温水発熱ヒータは節電モードとなり、便座用発熱ヒータ、温水用発熱ヒータはＯＦＦの状態である。使用者が便器７０の前に立つと、自動的に便蓋８３が回動するため、回転シャフト２０１が回動して、便蓋検知センサ２０２と抵抗体２０４とが離間し、マイコンからの信号を受け、便座用発熱ヒータ、温水用発熱ヒータが節電状態のＯＦＦ状態からＯＮ状態に変化して、両発熱ヒータが通電発熱する。
【０００９】
また、使用者が便器７０から離れたとき、便蓋８３は自動的に閉へ回動するため、便蓋位置検知センサ２０２と抵抗体２０４が近接し、これに対応して便座用発熱ヒータ、温水発熱ヒータがＯＮからＯＦＦ状態になり、節電状態に戻る。
【００１０】
【発明が解決しようとする課題】
上記第４，５図の従来例にあっては、便蓋ヒンジ部は荷重がかかる場所であり破損が容易に考えられ、ヒンジ部に検知部がある場合は何らかの原因により便蓋が閉じていないにもかかわらず自動開閉装置２００の出力が「閉」状態を示すものになると節電モードとなる恐れがある。
【００１１】
本発明は、便蓋が閉まっていることを確実に確認してから節電モードを実行するようにした便器設備を提供することを目的とする。
【００１２】
【課題を解決するための手段】
本発明の便器設備は、便蓋の起立又は倒伏の検知手段と、該検知手段の検知結果に基づいてヒータへの通電を制御する制御手段とを有する便器設備において、該便蓋の倒伏の確認手段を便蓋後端部の近傍に設け、前記検知手段が便蓋の倒伏を検知していると共に該確認手段が便蓋の倒伏を確認しているときにヒータへの通電を節電モードとするよう制御手段によって制御することを特徴とするものである。かかる便器設備にあっては、便蓋の閉が確認されてから節電モードが実行される。
【００１３】
この確認手段としては、例えば倒伏した便蓋を検知する光学センサ又は当接スイッチ（例えばリミットスイッチ）を採用することができる。
【００１４】
本発明では、便座への着座を検知する着座検知センサが設けられており、該着座検知センサが着座を検知しているときには前記制御装置は便蓋開状態としての制御モードを実行することが好ましい。このようにすれば、着座した人体が上記の光学センサ又は当接スイッチによって検知されても、該人体が便蓋と誤認されて便蓋閉と扱われることが防止される。
【００１５】
【発明の実施の形態】
以下、図面を参照して実施の形態について説明する。第１図（ａ）は実施の形態に係る洋風便器設備の斜視図、第１図（ｂ）はその要部拡大図、第２図はこの便器設備の制御ブロック図である。
【００１６】
洋風便器１１の後部に便座ボックス１０が設置されている。この便座ボックス１０は、洋風便器１１の便鉢の後部上面に設置される本体１２と、本体１２から張り出す張出部１３とを有し、この張出部１３の上面にスイッチパネル（銘板）１４が設けられている。
【００１７】
便座ボックス本体１２には、臀部洗浄ノズル１５，１６、温水温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【００１８】
張出部上面のスイッチパネル１４には肛門洗浄（シャワー洗浄）、ビデ洗浄、温風乾燥等の作動をストップさせるストップスイッチ、肛門洗浄用操作スイッチ、ビデ洗浄用操作スイッチ、温風を吹出させるドライスイッチ、洗浄の広がりを調整するためのワイド洗浄入／切スイッチ、洗浄位置前進スイッチ、その後退スイッチ、便座の温度を調節するための便座温度調節スイッチ、洗浄強さを調節するダイヤル２８、シャワー等の水温を調節する温水温度調節スイッチ等が配置されている。
【００１９】
この実施の形態においても、該便蓋１８は洋風便器１１の前方の人体が検知されると自動開閉装置２０によって自動的に起立回動し、該人体が検知されなくなると該自動開閉装置２０によって便蓋１８が自動的に倒伏回動する。この自動開閉装置２０は前記第４，５図の自動開閉装置２００と同様のものが用いられているが、別のものであってもよい。この自動開閉装置２０は自動開閉装置２００と同様に便蓋１８の開、閉に対応した信号電圧を出力する。
【００２０】
便座ボックス１０は、前記張出部１３と反対側に小張出部２３が設けられており、この小張出部２３の内向きの側面には倒伏した便蓋１８を検知してこれを確認するための確認センサ２５が設けられている。
【００２１】
この実施の形態では、確認センサ２５としては赤外線センサが用いられているが、超音波式のものなど各種のものを用いることができる。また、この実施の形態にあっては、便座１７には着座センサ２６が設けられている。この着座センサ２６としては、静電容量式、荷重検知式のものなど各種のものを用いることができる。
【００２２】
自動開閉装置２０、確認センサ２５及び着座センサ２６の出力信号が制御回路２７に入力され、この制御回路２７が便座１８のヒータ２８への通電を制御する。なお、制御回路２７へは便座１８に設けられた温度センサ２９の出力信号も入力されている。
【００２３】
このように構成された便器設備においては、自動開閉装置２０が便蓋１８の閉信号を出力し、且つ確認センサ２５が便蓋１８を確認した信号を出力しているときに節電モードの制御が実行され、便座１７のヒータ２８への通電量が低減されるか又はストップされる。その他の状態では節電モードではなく通常モードの制御が実行される。なお、人が洋風便器１１の前に現れると、自動開閉装置２０は便蓋１８を起立回動させる。
【００２４】
この実施の形態では、着座センサ２６が着座を検知しているときには、制御回路２７は便蓋１８が開いているものとして通常モードの制御を実行する。即ち、人体の臀部が確認センサ２５によって検知されたとしても、制御回路２７は、便蓋１８が開状態にあるものと判断して通常モードの制御を実行する。
【００２５】
上記実施の形態にあっては、光学式の確認センサ２５を小張出部２３の内向き側面に設けているが、第３図のように小張出部２３の内側の上向き面２３ａにリミットスイッチ等の当接センサよりなる確認センサ３０を設けてもよい。便蓋１８が倒伏したときには、該便蓋１８が確認センサ３０に当たり、便蓋１８の倒伏が検知される。
【００２６】
上記実施の形態では、自動開閉装置２０が用いられているが、便蓋の回動駆動装置を省略し、例えば便蓋の支軸にセンサを設け、人が便蓋を回動させたことを検知する構成としてもよい。
【００２７】
上記実施の形態は暖房便座のヒータへの通電制御に関するものであるが、温水タンクのヒータへの通電を同様にして制御してもよい。
【００２８】
なお、本発明では節電モードではヒータへ低電流を通電し、ヒータを低発熱量にて発熱させるのが好ましい。このようにすれば便座や水が冷え切ってしまうことが防止される。
【００２９】
【発明の効果】
以上の通り、本発明によると、便蓋が倒伏していることが十分に確認された場合に節電モードが実行されるようになり、節電式の便器設備の信頼性がきわめて高いものとなる。
【図面の簡単な説明】
【図１】実施の形態に係る便器設備としての洋風便器設備の斜視図である。
【図２】図１の設備の制御ブロック図である。
【図３】別の実施の形態を示す斜視図である。
【図４】従来例を示す斜視図である。
【図５】従来例に係る自動開閉装置の斜視図である。
【符号の説明】
１０  便座ボックス
１１  洋風便器
１７  便座
１８  便蓋
２０，２００  自動開閉装置
２５，３０  確認センサ
２６  着座センサ
２７  制御回路
２８  ヒータ
２９  温水センサ
【図１】
0003603700.tif 000002
【図２】
0003603700.tif 000003
【図３】
0003603700.tif 000004
【図４】
0003603700.tif 000005
【図５】
0003603700.tif 000006